(57)【要約】【課題】スイッチの位置を全ての利用者に合わせて自由に調整することができ、しかも、盗難防止の効果も奏する自転車用着脱型方向指示器を提供する。【解決手段】電池２を収納する筒状容器でハンドルのパイプＰ内部に一端部側を挿入する収納体１０を設ける。該収納体１０の他端部側に装着され、方向指示用に電池２で発光する方向指示灯２０を設ける。パイプＰから突出した収納体１０又は方向指示灯２０にスイッチ取付け枠３０を設ける。該スイッチ取付け枠３０で、パイプＰ外側面に、方向指示灯２０用のスイッチ１を配設する。パイプＰ内部に差込んだ筒体１０の位置調整で、ハンドル表面のスイッチ１の位置を調整する。【選択図】  図１
0003174555.tif 000002
【実用新案登録請求の範囲】
【請求項１】
自転車のハンドル両端部に装着する方向指示器であって、電池を収納する筒状容器でハンドルのパイプ内部に一端部側を挿入する収納体と、該収納体の他端部側に装着され、方向指示用に電池で発光する方向指示灯と、パイプから突出した収納体又は方向指示灯に設けられ、ハンドルのパイプ外側面に、方向指示灯用のスイッチを配設するスイッチ取付け枠とを備え、ハンドルのパイプ内部に差込んだ筒体とスイッチ取付け枠との位置調整で、ハンドル表面のスイッチの位置を調整するように構成したことを特徴とする自転車用着脱型方向指示器。
【請求項２】
前記収納体の他端部側外周に、前記パイプ内部に嵌合せしめるテーパー状の嵌合部が形成され、前記スイッチ取付け枠は、前記収納体の他端部側に設けられた弾性軸状を成し、該スイッチ取付け枠の側面に防水性の前記スイッチを設けた請求項１記載の自転車用着脱型方向指示器。
【請求項３】
前記収納体不使用時において、前記収納体の代わりに前記ハンドルのパイプ内部に挿入するゴム栓を設けた請求項１記載の自転車用着脱型方向指示器。
【考案の詳細な説明】
【技術分野】
【０００１】
本考案は、自転車のハンドル端部に装着する自転車用着脱型方向指示器に係り、特に、電池を内蔵した着脱型の方向指示器を、利用者の最も使い易い位置でハンドル端部に装着することができる自転車用着脱型方向指示器に関する。
【背景技術】
【０００２】
従来、自転車の方向指示は、片手を上げることで進行方向を指示することになっているが、片手走行自体が危険であるため、あまり実施されていない。また、夜間走行中に急に進路を変更したり、合図も無く右左折したりすることは事故の原因になっている。
【０００３】
そこで、自転車のハンドル端部に着脱する方向指示器として特許文献１に記載された方向指示器用のランプが提案されている。このランプは、自転車のハンドル端部に装着するもので、懐中電灯とウィンカー機能を有するものである。すなわち、このランプはカバーと蓋とで構成され、カバーの外周囲にはスイッチを設置し、カバーの中には電池を設置している。そして、蓋の中にはランプを設置し、スイッチを押すと、ランプの光は蓋から外へ投射されるように構成されている。
【先行技術文献】
【特許文献】
【０００４】
【特許文献１】実用新案登録第３０９２５２４号公報
【考案の概要】
【考案が解決しようとする課題】
【０００５】
ところが、特許文献１に記載のランプは、ハンドルに緊密に固定する構成であるため、使用者にとって思わぬ不都合が生じるおそれがある。それは、スイッチの位置がハンドルの特定の位置に固定されることである。使用者には個々の体格差があり、指の長さにもばらつきがある。そこで、ハンドルの特定位置にスイッチが固定されている状態では、このスイッチを押し易く感じる者と、押し難く感じる者とが出てくることになり、全ての利用者が快適に使用できるものではなかった。
【０００６】
方向指示器のスイッチ操作は、進行方向を変えるたびに行われる操作であるから、このスイッチ操作は、利用者が最も使用しやすい位置にあるのが望ましい。ところが、特許文献１に記載のランプでは、ハンドルに緊密に固定する構成であるから、スイッチの位置を利用者にあわせて自由に調整することはできないものであった。
【０００７】
更に、カバーをハンドル上に固定している状態では、不使用時の自転車から方向指示器が盗まれるおそれがあった。すなわち、特許文献１のランプは、カバーをハンドルに緊密に固定するものである。このように、電池を内蔵した懐中電灯の如き独立した方向指示器を、ハンドルの端部にカバーで固定していると、いかに緊密に固定していたとしても、盗難の目標になり易くなるといった課題が生じている。
【０００８】
そこで本考案は、上述の課題を解消すべく案出されたもので、スイッチの位置を全ての利用者に合わせて自由に調整することができ、しかも、盗難防止の効果も奏する自転車用着脱型方向指示器の提供を目的とするものである。
【課題を解決するための手段】
【０００９】
上述の目的を達成すべく本考案における第１の手段は、自転車のハンドル両端部に装着する方向指示器であって、電池２を収納する筒状容器でハンドルのパイプＰ内部に一端部側を挿入する収納体１０と、
該収納体１０の他端部側に装着され、方向指示用に電池２で発光する方向指示灯２０と、
パイプＰから突出した収納体１０又は方向指示灯２０に設けられ、ハンドルのパイプＰ外側面に方向指示灯２０用のスイッチ１を配設するスイッチ取付け枠３０と、を備え、
ハンドルのパイプＰ内部に差込んだ筒体１０とスイッチ取付け枠３０との位置調整で、ハンドル表面のスイッチ１の位置を調整するように構成したことにある。
【００１０】
第２の手段において、前記収納体１０の他端部側外周に、前記パイプＰ内部に嵌合せしめるテーパー状の嵌合部１１が形成され、前記スイッチ取付け枠３０は、前記収納体１０の他端部側に設けられた弾性軸状を成し、該スイッチ取付け枠３０の側面に防水性の前記スイッチ１を設けたものである。
【００１１】
第３の手段は、前記収納体１０不使用時において、前記収納体１０の代わりに前記ハンドルのパイプＰ内部に挿入するゴム栓４０を設けたことにある。
【考案の効果】
【００１２】
本考案の請求項１によると、ハンドルのパイプＰ内部に差込んだ筒体１０の位置調整で、ハンドル表面のスイッチ１の位置を調整するように構成したことにより、スイッチ取付け枠３０に設けられたスイッチ１の位置を利用者の好みの位置に合わせてセットすることが可能になる。この結果、利用者全てが方向指示器を快適に操作することができるものである。
【００１３】
しかも、夜間の使用時には、パイプＰの内部に強制的に差し込んで使用し、使用後は、差し込んだ収納体１０を抜き取って自転車と別にして保管することができる。そのため、独立した構成の方向指示器であっても、盗難の目標にならずに済み、盗難防止の効果も奏するものである。
【００１４】
請求項２のように、収納体１０の他端部側外周に、前記パイプＰ内部に嵌合せしめるテーパー状の嵌合部１１が形成されているので、この嵌合部１１がパイプＰ内に嵌合する位置で簡単に固定することができる。しかも、スイッチ取付け枠３０がハンドルのパイプＰと共に握られているので、使用時に脱落のおそれは極めて少ないものである。
【００１５】
また、スイッチ取付け枠３０は、収納体１０の他端部側に設けられた弾性軸状を成し、該スイッチ取付け枠３０の側面に防水性の前記スイッチ１を設けたものであるから、ハンドルのパイプＰに厚みの異なる各種グリップＰ１が装着されていても、スイッチ取付け枠３０の弾性力で対応することができる。
【００１６】
請求項３のごとく、収納体１０不使用時において、前記収納体１０の代わりに前記ハンドルのパイプＰ内部に挿入するゴム栓４０を設けたことにより、収納体１０を差し込んでいない状態でも、ハンドルのパイプＰにゴム栓４０を装着することで、パイプＰの開口部が塞がれてハンドルの見栄えを損なうことはない。
【図面の簡単な説明】
【００１７】
【図１】本考案の一実施例を示す要部断面図である。
【図２】本考案のゴム栓の装着状態を示す要部断面図である。
【図３】本考案の使用状態を示す正面図である。
【考案を実施するための形態】
【００１８】
本考案によると、スイッチの位置を全ての利用者に合わせて自由に調整することができ、しかも、盗難防止の効果も奏する自転車用着脱型方向指示器を提供することに成功した。
【００１９】
以下、本考案の実施例を説明する。本考案は、自転車のハンドル両端部に装着する方向指示器である。本考案の基本構成は、収納体１０、方向指示灯２０、スイッチ取付け枠３０にて構成されている（図１参照）。
【００２０】
収納体１０は、電池２を収納する筒状容器で、ハンドルのパイプＰ内部に収納体１０の一端部側を挿入する（図２参照）。この収納体１０内に収納した電池２で方向指示灯２０を点灯させる。図示例の収納体１０は、単三電池２本を直列に収納しているが、電池２の種類や数、収納時の形状などは任意に変更できるものである。
【００２１】
また、この収納体１０の他端部側外周に、パイプＰ内部に嵌合せしめるテーパー状の嵌合部１１が形成されている。そして、ハンドルのパイプＰ内部に収納体１０を強制的に差込むと、この嵌合部１１がパイプＰ内部に嵌合する位置で収納体１０が固定されるものである。図示の収納体１０は、収納体１０のほぼ全体が配管Ｐ内に収納される位置で固定している（図２参照）。
【００２２】
方向指示灯２０は、パイプＰから突出した収納体１０の他端部側に装着され、収納体１０内部の電池２で発光する。図示例の方向指示灯２０は、略球体状のレンズカバーの内部にＬＥＤ等の任意の電球が収納されたもので、点滅や連続発光など、各種の発光が可能である。また、方向指示灯２０の形状は図示例に限られるものではない。
【００２３】
スイッチ取付け枠３０は、パイプＰから突出した収納体１０又は方向指示灯２０に設けられた部材で、ハンドルのパイプＰ外側面に、方向指示灯２０用のスイッチ１を配設する。図示のスイッチ取付け枠３０は、収納体１０の他端部側に設けられた弾性軸状を成しており、自身の弾性力によってパイプＰの外側面に圧着するように構成している。そして、このスイッチ取付け枠３０の側面に防水性のスイッチ１を設けたものである。このため、スイッチ１は、ハンドルのパイプＰ内部に差込んだ筒体１０と、スイッチ取付け枠３０とを介してパイプＰ表面上で回転させることができるので、スイッチ１の設置位置を利用者の好みの位置に調整することができる。
【００２４】
ゴム栓４０は、収納体１０不使用時において、収納体１０の代わりにハンドルのパイプＰ内部に挿入する部材である。市販の自転車には、ハンドルのパイプＰにグリップＰ１が装着されている。そこで、本考案方向指示器の装着例として、グリップＰ１の端部を切り取り、パイプＰの端部を開口させてから収納体１０を挿入することができる。この場合、収納体１０を抜き取った後は、パイプＰの開口部が露出することになる。そのため、この開口部にゴム栓４０を嵌合させることで、ハンドルの見栄えを損ねないようにすることができる。したがって、本考案の使用方法は、収納体１０とゴム栓４０とを交互にパイプＰに挿入して使用するものである。
【００２５】
尚、本考案のスイッチ１、収納体１０、方向指示灯２０、スイッチ取付け枠３０等の各種構成や材質等は、図示例に限られるものではなく、本考案の主旨を変更しない範囲での設計変更は任意に行えるものである。
【産業上の利用可能性】
【００２６】
本考案方向指示器は、市販の自転車に後付けする方向指示器として説明しているが、本考案方向指示器を予め備えた自転車として利用することも可能である。
【符号の説明】
【００２７】
Ｐ  パイプ
Ｐ１  グリップ
１  スイッチ
２  電池
１０  収納体
１１  嵌合部
２０  方向指示灯
３０  スイッチ取付け枠
４０  ゴム栓
【図１】
0003174555.tif 000003
【図２】
0003174555.tif 000004
【図３】
0003174555.tif 000005